(57)【特許請求の範囲】
【請求項１】
ケース体と、
パチンコ球導出樋とパチンコ球排出樋との間を繋ぐようにケース体に形成されたケース樋と、
前記ケース体内にあってステッピングモータなどの駆動手段で回転制御され、胴部外周に突設した係合爪をケース樋内に臨ませてパチンコ球の流れを制御する球制御用回転体と、を有するパチンコ球放出装置において、
前記球制御用回転体の前記胴部に手動操作部を形成し、その胴部の手動操作部を外部から手動で操作するための透孔をケース体に穿設したことを特徴とするパチンコ球放出装置。
【発明の詳細な説明】
【０００１】
【産業上の利用分野】
本発明は、パチンコ球を球皿に放出するためのパチンコ球放出装置に関する。
【０００２】
【従来の技術】
パチンコ球放出装置Ａは、図６に示したように、パチンコ機Ｐ裏面の機構板Ｂに組み込まれており、球タンクＣに連続するパチンコ球導出樋Ｄと球皿（図示せず）に通ずるパチンコ球排出樋Ｅの間に設置されている。そして、従来のパチンコ球放出装置Ａは、箱形のケース体Ｆと、パチンコ球導出樋Ｄとパチンコ球排出樋Ｅとの間を繋ぐようにケース体Ｆに形成されたケース樋Ｇと、前記ケース体Ｆ内にあってステッピングモータＨで回転制御されケース樋Ｇ内に係合爪Ｊを臨ませてパチンコ球の流れを制御する球制御用回転体Ｋとを有するものがある。
【０００３】
【発明が解決しようとする課題】
パチンコ球放出装置Ａは、パチンコ機Ｐに組み込む前や組み込んだ後に簡単な動作確認をしたり、その動作確認で残ったパチンコ球を球抜きする必要がある。この動作確認や、その動作確認後に球抜きをする場合でも、従来は、一々ステッピングモータＨに通電して球制御用回転体Ｋを回転させる必要があり、作業が大掛で面倒であった。また、パチンコ機Ｐに組み込んだ状態でパチンコ放出装置Ａを作動させているときに何らかの要因でケース樋Ｇ内で球詰まりが発生した場合、従来のパチンコ球放出装置Ａには球詰まりを解消する有効な手段が備えられていないため、パチンコ球放出装置Ａを機構板Ｂから一旦外して詰まったパチンコ球を取り除く必要がある。パチンコ球放出装置Ａを機構板Ｂから外すにはパチンコ球導出樋Ｄのパチンコ球を抜き取らなければならないなど、球詰まりを解消するのに相当時間が掛かる問題点があった。
【０００４】
【課題を解決するための手段】
上記の問題点を解消するため本発明は、ケース体と、パチンコ球導出樋とパチンコ球排出樋との間を繋ぐようにケース体に形成されたケース樋と、前記ケース体内にあってステッピングモータなどの駆動手段で回転制御され、胴部外周に突設した係合爪をケース樋内に臨ませてパチンコ球の流れを制御する球制御用回転体と、を有するパチンコ球放出装置において、前記球制御用回転体の前記胴部に手動操作部を形成し、その胴部の手動操作部を外部から手動で操作するための透孔をケース体に穿設したパチンコ球放出装置を提供する。
【０００５】
【作用】
ケース体の外部から透孔越しに手動操作部を操作して球制御用回転体を手動で回転させることができるため、ステッピングモータに通電しなくとも動作確認が行える。また、ケース樋の内部でパチンコ球が詰まった場合に、ケース体の外部から手動操作で球制御用回転体を正逆方向に適当に回転させれば、詰まったパチンコ球のバランスが崩れて正常に戻る。従って、球詰まりの度に一々パチンコ球放出装置を機構板から外す必要がない。
【０００６】
以下に本発明の実施例を図１〜図５を参照しつつ説明する。なお、図１はパチンコ球放出装置の斜視図、図２は図１のＷ−Ｗ線断面図、図３は図２のＸ−Ｘ線断面図、図４は図２のＹ−Ｙ線断面図、図５はパチンコ球放出装置の分解斜視図である。
【０００７】
パチンコ球放出装置１は、図６で説明した従来装置と同様に、パチンコ機Ｐ裏面の機構板Ｂに組み込まれており、パチンコ球導出樋Ｄとパチンコ球排出樋Ｅの間に設置されている。このパチンコ球放出装置１は、図５に示すように、ケース体２、駆動手段たるステッピングモータ３、球制御用回転体４、放出確認スイッチ５、配線基板６、コネクター７などからなる。ケース体２は前記ステッピングモータ３や球制御用回転体４などの機能部品を集中設置した中央プレート２ａが中核をなし、その中央プレート２ａの周りを、後ろカバー２ｂ、通路側サイドカバー２ｃ、通路側フロントカバー２ｄ、モータ側カバー２ｅで囲った構成である。中央プレート２ａと各カバー２ｂ〜２ｅはビス止めされ、各カバー２ｂ〜２ｅ同士も殆どビスで連結されている。ただ、モータ側カバー２ｅと後ろカバー２ｂは、モータ側カバー２ｅの爪片８，８と後ろカバー２ｂの係合孔９，９との係合により連結されている。なお、モータ側カバー２ｅには、上下面に多数の放熱孔１０と、前記コネクター７用の接続孔１１が穿設されている。
【０００８】
而して、前記中央プレート２ａと後ろカバー２ｂと通路側サイドカバー２ｃと通路側フロントカバー２ｄの四部材によって、ケース体２にケース樋１２が形成される。該ケース樋１２は、前記パチンコ球導出樋Ｄの二列の球通路Ｄａ，Ｄｂに連通するもので、上段が二列の流入通路１３ａ，１３ｂ、中段が球切り通路１４、また、下段が共通排出通路１５である。
【０００９】
ケース樋１２中段の球切り通路１４には、前記球制御用回転体４が臨んでいる。該球制御用回転体４は、丸棒状の胴部４ｃ外周に１２０度間隔で三枚の係合爪４ｄ，４ｄ，４ｄを突設してなる第一の爪車４ａ及び第二の爪車４ｂを並設してなる。この第一と第二の爪車４ａ，４ｂは、互いの係合爪４ｄが６０度づつずれており、第一の爪車４ａの係合爪４ｄがＹ字状態であると、第二の爪車４ｂの係合爪４ｄが逆Ｙ字状態になる。そして、球制御用回転体４は前記ステッピングモータ３の駆動軸３ａに直結されていて、該駆動軸３ａが６０度回転する毎に前記Ｙ字状態と逆Ｙ字状態が交互に入れ替わる。
【００１０】
前記係合爪４ｄ，４ｄ…の形状は、パチンコ球の押出側がその球面にフィットする凹弧形で、また、反対の背側が凸弧形である半三日月形である。両爪車４ａ，４ｂは、夫々流入通路１３ａ，１３ｂの中心直下に配置されている。下段の共通排出通路１５には、前記中央プレート２ａの放出確認スイッチ５の通過ゲート５ａが臨んでいる。該通過ゲート５ａは、共通排出通路１５の中央に位置し、中央プレート２ａと通路側サイドカバー２ｃに突設した三角形状の誘導板１６，１６により、前記両爪車４ａ，４ｂから放出されるパチンコ球が誘導される。
【００１１】
パチンコ球放出装置１は以上のように構成されており、流入通路１３ａの先頭にあるパチンコ球が爪車４ａの二枚の係合爪４ｄ，４ｄ間に、また、流入通路１３ｂの先頭にあるパチンコ球が爪車４ｂの係合爪４ｄの先端上面に載って停止している。この状態でステッピングモータ３の駆動軸３ａを図３の反時計回りに６０度回転させると、爪車４ａ側のパチンコ球が二枚の係合爪４ｄ，４ｄに載って送られ、誘導板１６，１６に案内されて両爪車４ａ，４ｂの中間点に向かう進路を取り、共通排出通路１５中央に落下して放出確認スイッチ５で検出される。このとき、流入通路１３ａにある次のパチンコ球は係合爪４ｄの背の先端上面で受けられて停止する。
【００１２】
一方、爪車４ｂは、前記駆動軸３ａの回転により係合爪４ｄ，４ｄ，４ｄがＹ字状態になり、係合爪４ｄの先端上面で支えられていたパチンコ球が係合爪４ｄ，４ｄの間に入って停止する。従って、駆動軸３ａがさらに６０度回転すると流入通路１３ｂ側のパチンコ球が放出される。このように駆動軸３ａが６０度回転する毎に両流入通路１３ａ，１３ｂから交互に一個づつパチンコ球が放出されるから、例えば、通常の７個用，１３個用の入賞信号、或いは、貸球として２５個を放出する球貸信号を受けて駆動軸３ａを（６０×放出球数）度回転させればよい。
【００１３】
本発明のパチンコ球放出装置１は前記球制御用回転体４に手動操作部１７を形成した点に特徴がある。実施例の手動操作部１７は球制御用回転体４の二枚の爪車４ａ，４ｂで挟まれた胴部４ｃに歯車状の歯１７−１を刻設した形態である。そして、ケース体２の通路側フロントカバー２ｄに手動操作部１７の歯１７−１に対向させて透孔１８を穿設しておき、該透孔１８からドライバーなどの工具を差し込み、その先を手動操作部１７の歯１７−１に係合させて押し込めば、球制御用回転体４を手動で任意の方向に回転させることができる。この手動操作部１７の機能を使って球制御用回転体４を手動で回転させれば、ステッピングモータ３に一々通電しなくとも、パチンコ球放出装置１を機構板Ｂに組み込む前や組み込んだ後に簡単な動作確認をしたり、その動作確認で残ったパチンコ球を球抜きすることができる。また、使用中にケース樋１２の内部で球詰まりが発生した場合にも球制御用回転体４を正逆方向に適度に回転させれば、詰まったパチンコ球のバランスが崩れて正常に戻る。
【００１４】
なお、実施例は、手動操作部１７を球制御用回転体４の胴部４ｃに設けるようにしたものであるから、金属製の工具を使って球制御用回転体４を強制的に回転させたとしても、パチンコ球と直接接触する係合爪４ｄ，４ｄ…を傷めるおそれがない。また、手動操作部１７を従来活用されていなかった爪車４ａと爪車４ｂの間を利用して形成するようにすれば、既存のパチンコ球放出装置の全部品の寸法を全く変更する必要がないから最小限のコストで実施することができる。そしてさらに、爪車４ａと爪車４ｂの間に手動操作部１７を設ければ、力の伝達バランスが良いから、球制御用回転体４をスムーズに回転させることができる。
【００１５】
以上本発明を実施例について説明したが、もちろん本発明は上記実施例に限定されるものではない。例えば、手動操作部１７を爪車以外の部分に設けてあれば係合爪４ｄの形状や枚数を自由に設定してもよい。
【００１６】
また、パチンコ機Ｐの稼働中に、入賞信号や球貸信号がないまま一定量以上のパチンコ球が手動で放出された場合に（この情報は放出確認スイッチ５で得られる。）、警報を発してそのことを外部に知らせるようにプログラムしておけば、従業員が関与する手動操作部１７を使った不正行為を防止することができる。
【００１７】
【発明の効果】
本発明のパチンコ球放出装置は、ケース体の外部から透孔越しに手動操作部を操作して球制御用回転体を手動で回転させることができるから、一々ステッピングモータに通電しなくとも動作確認が簡単迅速に行え、しかも動作確認で残った少量のパチンコ球を簡単に抜き取ることができる。また、ケース樋の内部でパチンコ球が詰まった場合にも、機構板にパチンコ球放出装置を組み込んだままケース体の外部から球制御用回転体を手動で回転させることができるため、詰まったパチンコ球のバランスを崩すことが容易であり、簡単に球詰まりを解消することができる。従って、球詰まりの度に一々パチンコ球放出装置を機構板から外す煩わしさがない、など多くの有用な効果がある。
【図面の簡単な説明】
【図１】  パチンコ球放出装置の斜視図である。
【図２】  図１のＷ−Ｗ線断面図である。
【図３】  図２のＸ−Ｘ線断面図である。
【図４】  図２のＹ−Ｙ線断面図である。
【図５】  パチンコ球放出装置の分解斜視図である。
【図６】  パチンコ機の要部裏面図である。
【符号の説明】
１    …パチンコ球放出装置
２    …ケース体
３    …駆動手段（ステッピングモータ）
４    …球制御用回転体
４ｃ  …胴部
４ｄ  …係合爪
１２  …ケース樋
１７  …手動操作部（歯１７−１）
１８  …透孔
Ｄ    …パチンコ球導出樋
Ｅ    …パチンコ球排出樋
【図１】
0003690503.tif 000002
【図２】
0003690503.tif 000003
【図３】
0003690503.tif 000004
【図４】
0003690503.tif 000005
【図５】
0003690503.tif 000006
【図６】
0003690503.tif 000007